(57)【要約】      （修正有）【課題】  昇降式の複数の吸込グリルを備えた空気調和装置において、フィルタのメンテナンス時の作業性を高める。【解決手段】  ケーシング（10）と、ケーシング（10）の下面に設けられた天井パネル（20）とを備え、天井パネル（20）に吸込グリル（22）が装着された空気調和装置において、天井パネル（20）に、昇降式の複数の吸込グリル（22）と、各吸込グリル（22）を昇降させる駆動機構（30）と、各吸込グリル（22）の駆動機構（30）に電気的に接続された複数の電装品ボックスと、リモートコントローラの遠隔操作信号を受信するように天井パネル（20）の下面に設けられた一つのリモコン信号受信部（41）と、該リモコン信号受信部（41）と各電装品ボックスとを接続する電気配線部とを設ける。【選択図】  図３
2006300434.tif 000002
【特許請求の範囲】
【請求項１】
ケーシング（10）と、ケーシング（10）の下面に設けられた天井パネル（20）とを備え、天井パネル（20）に吸込グリル（22）が装着された天井設置型の空気調和装置であって、
上記天井パネル（20）は、昇降式の複数の吸込グリル（22）と、各吸込グリル（22）を昇降させる駆動機構（30）と、各吸込グリル（22）の駆動機構（30）に電気的に接続された複数の電装品ボックス（40）と、リモートコントローラの遠隔操作信号を受信するように天井パネル（20）の下面に設けられた一つのリモコン信号受信部（41）と、該リモコン信号受信部（41）と各電装品ボックス（40）とを接続する電気配線部（43）と、を備えていることを特徴とする空気調和装置。
【請求項２】
請求項１において、
リモコン信号受信部（41）に対して各電装品ボックス（40）が並列に接続されていることを特徴とする空気調和装置。
【発明の詳細な説明】
【技術分野】
【０００１】
本発明は、天井設置型の空気調和装置に関し、特に、天井パネルに昇降式の複数の吸込グリルを備えた空気調和装置に関するものである。
【背景技術】
【０００２】
従来より、例えば天井埋込型空気調和装置において、昇降式の吸込グリルを備え、この吸込グリルを下降させてフィルタのメンテナンス作業を行えるようにしたものがある（例えば、特許文献１参照）。この空気調和装置は、下端部が開放されたケーシングと、このケーシングの下端部の開口に取り付けられる天井パネルとを有している。そして、上記天井パネルの中央部に昇降式の吸込グリルが取り付けられている。
【０００３】
上記天井パネルには吸込グリルを昇降させるための駆動機構が設けられている。駆動機構は、天井パネルの隅角部の複数箇所に配置され、それぞれ、モータと、このモータに連結されたボビンとを備えている。ボビンは、ワイヤロープを巻き取るものであり、ワイヤロープの一端が連結されている。また、ワイヤロープの他端はガイドローラを介して吸込グリルに連結されている。
【０００４】
以上の構成において、モータを正転させるとワイヤロープをボビンに巻き取って吸込グリルを上昇させることができ、モータを逆転させるとワイヤロープをボビンから繰り出して吸込グリルを下降させることができる。
【０００５】
なお、モータの起動や停止を行う操作手段としては一般にリモートコントローラが用いられている。このリモートコントローラの操作信号を受信するため、天井パネルの下面にはリモコン信号受信部が設けられている。リモコン信号受信部で受信された信号は、電装品ボックスを介してモータに伝達される。
【特許文献１】特開２００１−１５３３９４号公報
【発明の開示】
【発明が解決しようとする課題】
【０００６】
ところで、大容量の空気調和装置の場合、吸い込み面積をかせぐために２枚以上の昇降式の吸込グリルを設けることがある。その場合、各吸込グリルごとに、該吸込グリルを昇降させるための駆動機構が設けられる。そして、リモコン信号受信部や電装品ボックスも吸込グリルごとに別々に設けられる。
【０００７】
したがって、１枚の天井パネルに複数の吸込グリルを備えた空気調和装置においては、ほぼ同時期にフィルタのメンテナンス時期がやってくるにもかかわらず、吸込グリルごとにリモートコントローラの操作を行い、吸込グリルを一つずつ別々に下降させてフィルタのメンテナンス作業を行っていた。その結果、フィルタのメンテナンス時の作業性が悪いという問題があった。
【０００８】
本発明は、かかる点に鑑みてなされたものであり、その目的は、昇降式の複数の吸込グリルを備えた空気調和装置において、フィルタのメンテナンス時の作業性を高めることである。
【課題を解決するための手段】
【０００９】
第１の発明は、ケーシング（10）と、ケーシング（10）の下面に設けられた天井パネル（20）とを備え、天井パネル（20）に吸込グリル（22）が装着された天井設置型の空気調和装置を前提としている。
【００１０】
そして、この空気調和装置は、上記天井パネル（20）が、昇降式の複数の吸込グリル（22）と、各吸込グリル（22）を昇降させる駆動機構（30）と、各吸込グリル（22）の駆動機構（30）に電気的に接続された複数の電装品ボックス（40）と、リモートコントローラの遠隔操作信号を受信するように天井パネル（20）の下面に設けられた一つのリモコン信号受信部（41）と、該リモコン信号受信部（41）と各電装品ボックス（40）とを接続する電気配線部（43）とを備えていることを特徴としている。
【００１１】
また、第２の発明は、第１の発明において、リモコン信号受信部（41）に対して各駆動機構（30）が並列に接続されていることを特徴としている。
【００１２】
本発明では、リモートコントローラを操作すると、その信号は一つのリモコン信号受信部（41）で受信され、電気配線部（43）を介して複数の駆動機構（30）に伝達される。したがって、各駆動機構（30）が同時に動作し、複数の吸込グリル（22）が一緒に下降または上昇する動作を行う。
【発明の効果】
【００１３】
本発明によれば、天井パネル（20）に、昇降式の複数の吸込グリル（22）と、各吸込グリル（22）を昇降させる駆動機構（30）と、各吸込グリル（22）の駆動機構（30）に電気的に接続された複数の電装品ボックス（40）と、リモートコントローラの遠隔操作信号を受信するように天井パネル（20）の下面に設けられた一つのリモコン信号受信部（41）と、該リモコン信号受信部（41）と各電装品ボックス（40）とを接続する電気配線部（43）とを設けたことによって、リモートコントローラの１回の操作で複数の駆動機構（30）が同時に動作するようにしているので、各吸込グリル（22）が一緒に下降または上昇する動作を行う。したがって、複数の吸込グリル（22）について別々に昇降の操作を行う必要がないため、フィルタのメンテナンス時の操作性が向上する。
【発明を実施するための最良の形態】
【００１４】
以下、本発明の実施形態を図面に基づいて詳細に説明する。
【００１５】
この実施形態の空気調和装置（1）は天井埋込型の空気調和装置（1）であり、図１はこの空気調和装置（1）を下方から見た斜視図である。この空気調和装置（1）は、直方体の箱形で下端部が開放したケーシング（10）と、ケーシング（10）の下端部に設けられた天井パネル（20）とを備えている。ケーシング（10）には天井に設置するためのブラケット（11）が４箇所に設けられている。また、天井パネル（20）の中央部には吸込口（21）が形成され、該天井パネル（20）の吸込口（21）には吸込グリル（22）が装着されている。
【００１６】
この空気調和装置（1）には２枚の吸込グリル（22）が装着されており、２枚がケーシング（10）の長手方向に並べて配置されている。上記ケーシング（10）内には、該吸込グリル（22）の上方で該吸込グリル（22）と重なるようにフィルタ（図示せず）が設けられている。また、天井パネル（20）には、吸込グリル（22）の周囲に吹出口（24）が配置されている。この吹出口（24）には、空気の吹出方向を調整するための風向調整フラップ（25）が設けられている。
【００１７】
図２は、上記吸込グリル（22）を取り外した状態における空気調和装置（1）の分解斜視図である。上記天井パネル（20）は、枠状の天井パネル本体（26）と、該天井パネル本体（26）の内周側に配置されるフレーム（27）と、上記天井パネル本体（26）に上記フレーム（27）を装着するための取付機構（28）とを備えている。また、上記吸込グリル（22）は上記フレーム（27）に装着されるように構成されている。
【００１８】
上記フレーム（27）は、天井パネル本体（26）の内側に嵌合する枠状の部材で、２本の長辺部材（27a）と２本の短辺部材（27b）とが長方形に組み合わされたものである。また、各長辺部材（27a）を２等分する位置には、短辺部材（27b）と平行に仕切部材（27c）が設けられている。
【００１９】
上記取付機構（28）は、例えば雌ねじを有する締結部材で構成することができる。このようにすると、フレーム（27）を天井パネル本体（26）に対してボルトによって簡単に着脱することができる。
【００２０】
図２に示しているように、上記ケーシング（10）内には、室内空気を吸込口（21）から吸い込んだ後に吹出口（24）から吹き出すための２台のファン（12）が、各吸込グリル（22）の上方に配置されている。また、図示していないが、上記ケーシング（10）内におけるファン（12）の周囲には室内熱交換器が配置されている。この室内熱交換器は、図示しない室外ユニットの室外熱交換器と冷媒配管を介して接続されており、該室内熱交換器を室内空気が通過することによって、室内空気が冷却または加熱される。
【００２１】
上記吸込グリル（22）は、天井パネル本体（26）に対して昇降する昇降式の吸込グリル（22）であり、図３には、この吸込グリル（22）が下降した状態を示している。上記フレーム（27）には、吸込グリル（22）の昇降駆動を行う駆動機構（30）が複数箇所に設けられている。これらの駆動機構（30）は、各吸込グリル（22）の長辺部材（27a）に２つずつ、合計４箇所に配置されている。そして、各駆動機構（30）は、モータを保持した駆動ユニット（31）と、モータの回転軸に固定されたボビン（図示せず）とを有している。このボビンはワイヤロープ（32）を巻き取るものであり、ワイヤロープ（32）の一端が連結されている。
【００２２】
図４（Ａ）は、吸込グリル（22）を上方から見た斜視図であり、図４（Ｂ）は吸込グリル（22）とワイヤロープ（32）との連結部を示す拡大斜視図である。図示するように、ワイヤロープ（32）の先端にはＳ字形状のフック（33）が取り付けられている。また、各吸込グリル（22）には、両端の２箇所に、このフック（33）を引っかけるための係止溝（34a）を有する連結金具（34）が設けられている。そして、上記フック（33）を連結金具（34）の係止溝（34a）に引っかけることにより、ワイヤロープ（32）と吸込グリル（22）とが連結される。
【００２３】
上記構成の駆動機構（30）では、モータを正転させるとワイヤロープ（32）をボビンに巻き取って吸込グリル（22）を上昇させることができ（図１参照）、モータを逆転させるとワイヤロープ（32）をボビンから繰り出して吸込グリル（22）を下降させることができる（図３参照）。
【００２４】
上記フレーム（27）には、図２に示すように電装品ボックス（40）が取り付けられている。上記電装品ボックス（40）は、フレーム（27）の短辺部材（27b）に１つずつ取り付けられており、それぞれが各短辺部材（27b）のほぼ中央の位置に設けられている。そして、図面上で仕切部材（27c）の右側に配置された電装品ボックス（40）には、右側の吸込グリル（22）を駆動する２つの駆動機構（30）が電気配線部（42）により並列に接続され、仕切部材（27c）の左側に配置された電装品ボックス（40）には、左側の吸込グリル（22）を駆動する２つの駆動機構（30）が電気配線部（42）により並列に接続されている。
【００２５】
上記駆動機構（30）は、リモートコントローラ（図示せず）を使用して遠隔操作をするように構成されている。このため、フレーム（27）には、リモコン信号受信部（41）が設けられている。リモコン信号受信部（41）は図面上で右側の短辺部材（27b）に１つだけ設けられており、このリモコン信号受信部（41）に対して上記電装品ボックス（40）が電気配線部（43）により並列に接続されている。なお、電気配線部（43）は、図では便宜上仕切部材（27c）を横切るような状態で表しているが、製品では、フレーム（27）の中の空間を横切るような配置ではなく、フレーム（27）の長辺部材（27a）と短辺部材（27b）に沿って配置される。
【００２６】
この空気調和装置（1）では、リモートコントローラを用いて図３のように該吸込グリル（22）を下降させることにより、フィルタのメンテナンス作業を行う。このとき、リモートコントローラの一度の操作で２枚の吸込グリル（22）を同時に下降させることができるため、メンテナンス作業を簡単に行える。また、吸込グリル（22）をケーシング（10）に格納する際も、リモートコントローラの一度の操作で２枚の吸込グリル（22）を同時に上昇させることができる。
【００２７】
ここで、従来は、吸い込み面積をかせぐために空気調和装置（1）に２枚以上の昇降式の吸込グリル（22）を設けた場合は、上述したように、各吸込グリル（22）に対応して該吸込グリル（22）を昇降させるための駆動機構（30）が設けられるとともに、リモコン信号受信部（41）や電装品ボックス（40）も吸込グリル（22）ごとに別々に設けられていた。したがって、１枚の天井パネル（20）に複数の吸込グリル（22）を備えた空気調和装置（1）においては、ほぼ同時期にフィルタのメンテナンス時期がやってくるにもかかわらず、吸込グリル（22）ごとにリモートコントローラの操作を行い、吸込グリル（22）を一つずつ別々に下降させてフィルタのメンテナンス作業を行っていた。その結果、フィルタのメンテナンス時の作業性が悪いという問題があった。
【００２８】
これに対して、本実施形態では、２枚の吸込グリル（22）を同時に昇降させることができるため、フィルタのメンテナンス時の作業性を高めることが可能となる。
【００２９】
《その他の実施形態》
上記実施形態については、以下のような構成としてもよい。
【００３０】
例えば、上記実施形態では天井埋込型の空気調和装置（1）について説明したが、本発明は天井吊下型の空気調和装置（1）にも適用可能である。
【００３１】
また、上記実施形態では２枚（複数枚）の吸込グリル（22）を備えた空気調和装置（1）について説明したが、本発明は昇降式の吸込グリル（22）が３枚以上設けられた空気調和装置（1）であっても適用できる。
【００３２】
なお、以上の実施形態は、本質的に好ましい例示であって、本発明、その適用物、あるいはその用途の範囲を制限することを意図するものではない。
【産業上の利用可能性】
【００３３】
以上説明したように、本発明は、１枚の天井パネルに昇降式の複数の吸込グリルを備えた天井設置型の空気調和装置について有用である。
【図面の簡単な説明】
【００３４】
【図１】本発明の実施形態に係る空気調和装置を下方から見た斜視図である。
【図２】吸込グリルを取り外した状態における空気調和装置の分解斜視図である。
【図３】昇降式の吸込グリルが下降した状態の空気調和装置を示す斜視図である。
【図４】（Ａ）は吸込グリルを上方から見た斜視図であり、（Ｂ）は吸込グリルとワイヤロープとの連結部を示す拡大斜視図である。
【符号の説明】
【００３５】
1   空気調和装置
10  ケーシング
20  天井パネル
22  吸込グリル
30  駆動機構
41  リモコン信号受信部
43  電気配線部
【図１】
2006300434.tif 000003
【図２】
2006300434.tif 000004
【図３】
2006300434.tif 000005
【図４】
2006300434.tif 000006